(57)【要約】【課題】刃部に複数のチップを所定形態で固着することにより、刃部自体の耐久性を高めてチップソーの切れ味の低下を抑え、刈払い作業の効率向上を図ると共に、その寿命を延ばすことが可能な刈払い用チップソーを提供する。【解決手段】中心位置に刈払い機への取付穴を有して円板状に形成されると共に外周縁部に刃部と刃室が交互に形成され該刃部にチップが固着された刈払い用チップソーであって、チップは、刃部に設けた複数のチップ取付部にその先端が刃室より外側に位置する状態でそれぞれ固着されていることを特徴とする。前記複数のチップ取付部に固着される各チップは、その先端が所定の段差を有して固着され、この段差は、台金の回転方向の後方のチップが前方のチップより外側に位置するように設定される。【選択図】図２
2008125503.tif 000002
【特許請求の範囲】
【請求項１】
中心位置に刈払い機への取付穴を有して円板状に形成されると共に外周縁部に刃室と刃部が交互に形成され該刃部にチップが固着された刈払い用チップソーであって、
前記チップは、前記刃部に設けた複数のチップ取付部にその先端が前記刃室より外側に位置する状態でそれぞれ固着されていることを特徴とする刈払い用チップソー。
【請求項２】
前記複数のチップ取付部に固着される各チップは、その先端が所定の段差を有して固着されていることを特徴とする請求項１に記載の刈払い用チップソー。
【請求項３】
前記段差は、台金の回転方向の後方のチップが前方のチップより外側に位置するように設定されていることを特徴とする請求項２に記載の刈払い用チップソー。
【請求項４】
前記複数のチップ取付部に固着される各チップは、その台金への固着状態もしくはその形状が、予め所定の形態に設定されていることを特徴とする請求項１ないし３のいずれかに記載の刈払い用チップソー。
【請求項５】
前記刃部に形成される複数のチップ取付部間の外周縁が、滑らかな略曲線状に形成されていることを特徴とする請求項１ないし４のいずれかに記載の刈払い用チップソー。
【請求項６】
前記複数のチップ取付部が３個もしくは２個であることを特徴とする請求項１ないし５のいずれかに記載の刈払い用チップソー。
【発明の詳細な説明】
【技術分野】
【０００１】  本発明は、台金の外周縁部に設けた刃部にチップが固着されて雑草や雑木等を刈払いする際に使用される刈払い用チップソーに関する。
【背景技術】
【０００２】  従来、刈払い用のチップソーとしては、例えば図６に示すものが知られている。このチップソーは、円板状の台金２の外周縁部２ａに所定間隔でチップ取付凹部３ａを有する刃部３を形成すると共に、この刃部３間に台金２の中心方向に窪んだ刃室４（ガレット）を形成し、各刃部３のチップ取付凹部３ａ内に超硬金属からなるチップ５をそれぞれロウ付け固着することにより形成されている。なお、この種のチップソーは、例えば特許文献１に開示されている。
【特許文献１】実用新案登録第２５３００６３号公報
【発明の開示】
【発明が解決しようとする課題】
【０００３】  しかしながら、このようなチップソーにおいては、刃室４間に形成される刃部３に１個のチップ取付凹部３ａを形成し、このチップ取付凹部３ａにチップ５がロウ付け固着されているため、台金２の外周縁部２ａに形成される刃部３にチップ５が１個しか固着されておらず、例えば刈払い中に刃室４から侵入した小石等が後方の刃部３のチップ５に衝突してチップ５の先端が欠ける等、チップ５が破損して刃部３が刃として機能しなくなり、チップソーの切れ味や寿命を低下させる一因となっている。その結果、例えば切れ味低下により、刈払い作業の効率が低下したり、所定の切断能力を得るために刈払い機のエンジンの回転数を上げる必要があり、刈払い機自体の寿命低下や振動による作業者への負担が増大する場合がある。【０００４】  本発明は、このような事情に鑑みてなされたもので、その目的は、刃部に複数のチップを所定形態で固着することにより、刃部自体の耐久性を高めてチップソーの切れ味の低下を抑え、刈払い作業の効率向上を図ると共に、その寿命を延ばすことが可能な刈払い機用チップソーを提供することにある。
【課題を解決するための手段】
【０００５】  かかる目的を達成すべく、本発明のうち請求項１に記載の発明は、中心位置に刈払い機への取付穴を有して円板状に形成されると共に外周縁部に刃室と刃部が交互に形成され該刃部にチップが固着された刈払い用チップソーであって、前記チップは、前記刃部に設けた複数のチップ取付部にその先端が前記刃室より外側に位置する状態でそれぞれ固着されていることを特徴とする。【０００６】  そして、前記複数のチップ取付部に固着される各チップは、請求項２に記載の発明のように、その先端が所定の段差を有して固着されていることが好ましく、この場合、前記段差は、請求項３に記載の発明のように、台金の回転方向の後方のチップが前方のチップより外側に位置するように設定されていることが好ましい。また、前記複数のチップ取付部に固着される各チップは、請求項４に記載の発明のように、その台金への固着状態もしくはその形状が、予め所定の形態に設定されていることが好ましい。さらに、請求項５に記載の発明のように、前記刃部に形成される複数のチップ取付部間の外周縁が、滑らかな略曲線状に形成されていることが好ましく、また、請求項６に記載の発明のように、前記複数のチップ取付部が３個もしくは２個であることが好ましい。
【発明の効果】
【０００７】  本発明の請求項１に記載の発明によれば、台金の外周縁部の刃部に設けた複数のチップ取付部に、その先端が刃室より外側に位置する状態でチップがそれぞれ固着されているため、各刃部に固着した複数のチップにより、全てのチップの破損等を防止して刃部自体の耐久性を高め、チップソーの切れ味の低下や寿命の低下を抑え、小型の刈払い機であっても刈払い作業の効率向上を図ることができると共に、女性や年配の作業者等への身体的負担の軽減を図ることができて、使い勝手に優れたチップソーを得ることができる。【０００８】  また、請求項２に記載の発明によれば、請求項１に記載の発明の効果に加え、複数のチップ取付部に固着される各チップの先端が所定の段差を有して固着されているため、複数のチップを切断能力に優れた最適形態で配置できて、切れ味に優れたチップソーを得ることができる。【０００９】  また、請求項３に記載の発明によれば、請求項２に記載の発明の効果に加え、段差が台金の回転方向の後方のチップが前方のチップより外側に位置するように設定されているため、先端位置が低い前方のチップで雑木等を大まかに切断し、その後先端位置が高い後方のチップで前記雑木等を完全に切断でき、切れ味に一層優れたチップソーを得ることができる。【００１０】  また、請求項４に記載の発明によれば、請求項１ないし３に記載の発明の効果に加え、複数のチップ取付部に固着される各チップの、その台金への固着状態もしくはその形状が予め所定の形態に設定されているため、各形態への設定によりチップソーの切断能力を所望に設定できて、コストパフォーマンスに優れたチップソーを容易に得ることができる。【００１１】  さらに、請求項５に記載の発明によれば、請求項１ないし４に記載の発明の効果に加え、刃部に形成される複数のチップ取付部間の外周縁が滑らかな略曲線状に形成されているため、刈払い作業時の刃部への雑草等の絡み付きを抑制して、チップソーの切れ味低下を確実に防止することができる。【００１２】  また、請求項６に記載の発明によれば、請求項１ないし５に記載の発明の効果に加え、複数のチップ取付部が３個もしくは２個であるため、最適個数のチップにより、所定の切断能力とコストの両方を満足し得るチップソーを容易に得ることができる。
【発明を実施するための最良の形態】
【００１３】  以下、本発明を実施するための最良の形態を図面に基づいて詳細に説明する。
図１〜図３は、本発明に係わる刈払い用チップソーの一実施形態を示し、図１がその平面図、図２がその要部の拡大図、図３がその側面図である。なお、図６と同一部位には同一符号を付して説明する。【００１４】  図１において、チップソー１は、円板状の台金２を有し、この台金２の中心位置には、図示しない刈払機への取付用の所定内径の取付穴６が形成されると共に、台金２の所定の円環状部分には、反り防止や異音防止、軽量化等の目的で適宜内径の例えば円孔からなる開口７が必要に応じて多数形成されている。また、台金２の外周縁部２ａには、所定間隔で複数個（図では８個）刃部３が形成されると共に、この刃部３の前後には複数個（図では８個）の刃室４がそれぞれ形成されている。なお、刃室４は、前方の刃部３側が最深部となるように全体が刃部３より台金２の中心方向に向けて窪んだ状態で形成されている。【００１５】  そして、前記各刃部３には、３個のチップ５がそれぞれロウ付け固着されている。すなわち、各刃部３には、台金２の中心方向に向けて凹んだチップ取付凹部３ａ（チップ取付部）が３個回転方向イに所定間隔を有して形成され、この各チップ取付凹部３ａに超硬金属等からなるチップ５がそれぞれロウ付け固着されている。この時、各刃部３に設けられる３個のチップ取付凹部３ａは、図２に示すように、それぞれ略同一形状に形成されて、その深さが前方側が深く後方側が浅くなるように形成されている。そして、この各チップ取付凹部３ａに同一形状のチップ５がそれぞれ固着されることにより、各チップ５の先端を結ぶ３本の外周線Ｌ１〜Ｌ３が、前方のチップ５が内側に位置し後方のチップ５が外側に位置して各線Ｌ１〜Ｌ３間に所定の段差ｈ１、ｈ２（例えばｈ１＝ｈ２＝略１ｍｍ）が形成されるように設定されている。【００１６】  また、３個のチップ５の先端面で形成される掬い角α１〜α３は、略同一（α１＝α２＝α３）に設定されて、各チップ５が台金２の回転方向イに対して略同一方向を指向するように設定されている。さらに、図３に示すように、３個のチップ３の厚みｔ２は、台金２の板厚ｔ１より所定寸法大きく設定されて、各チップ５が台金２の板厚方向の両面に所定寸法それぞれ突出するように設定されると共に、３個のチップ５間の間隔ｗ１、ｗ２は、略同一に設定されている。なお、各チップ５間の台金２の外周縁の形状は、図２に示すように、中央部が若干凹んだ滑らかな曲線形状に形成されると共に、各刃部チップ取付凹部３ａの底面は、前記刃室４の少なくとも底部より外側に位置するように設定されている。【００１７】  このチップソー１によれば、取付穴６を図示しない刈払機の回転軸に装着してエンジンを作動させると、図１及び図２の矢印イ方向に所定回転数で回転して、台金２の各刃部３に固着した各チップ５によって例えば雑草や雑木等が刈り払いされる。この刈払い作業時において、刃部３に固着された３個のチップ５により雑木等が切断され、この時、３個のチップ５の先端位置が段差ｈ１、ｈ２を有して後方側が高く外側に位置するように設定されていることから、刃室４で案内された雑木等は、例えば先ず前方のチップ５で大まかに切断され、その後後方のチップ５で完全に切断、すなわち３個のチップ５で順に徐々に切断される状態となる。【００１８】  また、この刈払い作業時に、各刃部３の各チップ５間の台金の外周縁が滑らかな曲線で形成されていることから、雑草等がチップ５（刃部３）に絡み付くことが抑制されて、刃室４で案内された雑木等が３個のチップ５で良好に切断される。さらに、仮に、小石等が刃室４から刃部３に侵入しても、この小石は最も回転方向イ側にある前方のチップ５に衝突するだけで、仮にこの前方のチップ５が破損しても、後方にまだ２個のチップ５が正常状態で固着されていることから、刃部３の切断性能を著しく低下させることもなく刃部３自体の耐久性が高まり、良好な切断性能を維持できることになる。【００１９】  このように、上記実施形態のチップソー１よれば、台金２の外周縁部２ａの刃部３に設けた３個のチップ取付凹部３ａに、その先端が刃室４より外側に位置する状態でチップ５がそれぞれ固着されているため、各刃部３に３個のチップ５を固着できて、小石等の衝突による刃部３の３個全てのチップ５の欠け等を確実に防止することができる。その結果、各刃部３の全てのチップ５の破損等を防止して、チップソー１自体の寿命を延ばして長期に亘り使用することができる等、コスト的（経済的に）に有利なチップソー１の提供が可能となる。また同時に、安定した切れ味の維持により、刈払い作業を快適かつ迅速に行うことができて、小型の刈払い機であっても刈払い作業の効率向上を図ることができると共に、女性や年配の作業者等への身体的負担の軽減を図ることができて、使い勝手に優れたチップソー１を得ることが可能となる。【００２０】  また、３個のチップ取付凹部３ａに固着される各チップ５の先端が、後方のチップ５が外側に位置するように所定の段差ｈ１、ｈ２を有して固着されているため、３個のチップ５を切断能力に優れた最適形態で配置できると共に、例えば先端位置が低く内側の前方のチップ５で雑木等を大まかに切断をし、その後先端位置が高く外側の後方のチップ５で雑木等を完全に切断することができる。また、刃部３に形成される３個のチップ取付凹部３ａ間の台金２（刃部３）の外周縁が滑らかな曲線状に形成されているため、刈払い作業時のチップ５への雑草等の絡み付きを抑制することができ、これらのことから、チップソー１の切れ味を一層向上させることができる。【００２１】  さらに、３個のチップ取付凹部３ａに固着される３個の各チップ５の、その厚み方向の台金２の板厚方向に対する突出寸法や、その先端の掬い角α１〜α３あるいは先端面が側面に直角の略同一となるように、予め所定の形態に設定されているため、チップソー１の切断能力を所望に設定することができる。また、刃部３に固着されるチップ５の個数が少なくもなく多くもない最適個数の３個に設定されているため、切断能力とコストの両方を満足するコストパフォーマンスに優れたチップソー１を容易に提供することが可能となる。【００２２】  図４及び図５は、本発明に係わるチップソーの変形例を示す図３と同様の側面図及び図２と同様の要部の拡大図である。以下、上記実施形態と同一部位には同一符号を付して説明する。先ず、上記実施形態においては、３個のチップ５を台金２の板厚方向に同一突出形態で固着したが、例えば図４���ａ）に示すように、各チップ５の厚みｔ２を台金２の板厚ｔ１と同一に設定したり、図４（ｂ）に示すように、３個のチップ５を台金２の板厚方向に交互に所定寸法突出させることもできる。【００２３】  また、図４（ｃ）に示すように、３個のチップ５のうち、前方のチップ５と後方のチップ５を台金２の板厚に対して逆方向に突出させ、中央のチップ５を台金２の板厚方向の両側に突出させることもできるし、この場合は、二点鎖線で示すように中央のチップ５は板厚方向に突出させない構成とすることもできる。さらに、上記実施形態においては、３個のチップ５の先端面と両側面を直角に形成したが、例えば図４（ｄ）に示すように、先端面や両側面に角度を持たせることもでき、この場合の先端面の角度は、３個のチップ５でその向きが異なるように設定することもできる。【００２４】  また、上記実施形態においては、３個のチップ５の掬い角α１〜α３を略同一に設定したが、例えば図５に示すように、３個のチップ５の掬い角α１〜α３を異ならせる（図ではα２＜α１＜α３）こともでき、この場合、角掬い角α１〜α３は図示した例に限定されず、例えばα１＞α２＞α３あるいはこの逆に設定することも可能である。なお、図示はしないが、刃部３に形成されるチップ取付凹部３ａの形状も略同一形状に限らず、それぞれ異なる形状として異なるチップ５を固着する構成して良いし、各チップ５間の間隔ｗ１、ｗ２を異なるように構成しても良い。このように、３個のチップ５の各チップ取付凹部３ａへの固着状態やチップ５自体の形状等は、チップソー１に要求される切断性能やコスト等に応じて適宜に設定でき、例えば、図４（ａ）の形態と図４（ｄ）の形態を組み合わせる等、各形態の全部や一部を適宜に組み合わせること等もできる。【００２５】  なお、上記実施形態においては、刃部３に３個のチップ取付凹部３ａを形成して３個のチップ５を固着したが、本発明はこの構成に限定されず、刃部３に複数のチップ５が固着されていれば良く、例えば２個もしくは４個以上のチップ５が固着された刃部３であっても良い。また、上記実施形態における、台金２の全体形状、チップ取付部の形状、刃部３や刃室４の形状等も一例であって、例えばチップ取付部の形状として前記チップ取付凹部３ａではなく、段差（切欠き）状のチップ取付部を採用する等、本発明に係わる各発明の要旨を逸脱しない範囲において適宜に変更することができる。
【産業上の利用可能性】
【００２６】  本発明は、台金の外周縁部に刃部と刃室を有する全てのチップソーに適用できる。
【図面の簡単な説明】
【００２７】
【図１】  本発明に係わる刈払い用チップソーの平面図
【図２】  同その要部の拡大図
【図３】  同その側面図
【図４】  同その変形例を示す図３と同様の側面図
【図５】  同他の変形例を示す図２と同様の要部の拡大図
【図６】  従来のチップソーの要部の拡大図
【符号の説明】
【００２８】  １・・・・チップソー、２・・・・台金、２ａ・・・外周縁部、３・・・・刃部、３ａ・・・チップ取付凹部、４・・・刃室、５・・・チップ、６・・・取付穴、７・・・・開口、Ｌ１〜Ｌ３・・・外周線、ｈ１、ｈ２・・・段差、α１〜α３・・・掬い角、ｔ１・・・台金の板厚、ｔ２・・・チップの幅、ｗ１、ｗ２・・・チップ間の間隔。
【図１】
2008125503.tif 000003
【図２】
2008125503.tif 000004
【図３】
2008125503.tif 000005
【図４】
2008125503.tif 000006
【図５】
2008125503.tif 000007
【図６】
2008125503.tif 000008